(57)【要約】【課題】  使用者の好みにあった模様等を構成することができるシールを提供する。【解決手段】  シール１０は、裏面１１ｂに第１のり１１ｃが塗られたシート状本体１１と、シート状本体１１の表面１１ａと同じ形状でその裏面１２ｂの一部分がシート状本体１１の表面１１ａの一部分に透明な第２のり１２ｃでのり付けされた状態でシート状本体１１の表面１１ａを覆うように配置された透明なシート１２と、一方の面１３ａに離型剤を塗付した無色透明な剥離用シート１３とを備えている。そして、透明なシート１２の裏面１２ｂのうちシート状本体１１の表面１１ａの一部分に第２のり１２ｃでのり付けされた部分１２ｄ以外の部分に剥離用シート１３の前記離型剤を塗付した一方の面１３ａを第２のり１２ｃでのり付けしたこと。さらに、透明なシート１２の表面１２ａに透明で可撓性ある樹脂層１４が盛り付けられていること。【選択図】        図３
0003110277.tif 000002
【実用新案登録請求の範囲】
【請求項１】
裏面にのりが塗られたシート状本体と、このシート状本体の表面と同じ形状でその裏面の一部分が前記シート状本体の表面の一部分に透明なのりでのり付けされた状態で前記シート状本体の表面を覆うように配置された透明なシートと、一方の面に離型剤を塗付した透明な剥離用シートとを備え、
前記透明なシートの裏面のうち前記シート状本体の表面の一部分に透明なのりでのり付けされた部分以外の部分に前記透明な剥離用シートの前記離型剤を塗付した一方の面を透明なのりでのり付けしたことを特徴とするシール。
【請求項２】
請求項１に記載したシールであって、
前記剥離用シートが無色透明であることを特徴とするシール。
【請求項３】
請求項１または２に記載したシールであって、
前記透明なシートの表面に透明で可撓性ある樹脂層が盛り付けられていることを特徴とするシール。
【請求項４】
請求項１から３までのいずれかに記載したシールおよび前記シールの台紙を備えたシールセットであって、
前記台紙の離型剤が塗布された表面に前記シールのシート状本体の裏面および剥離手段用シートの裏面がのり付けされていることを特徴とするシールセット。
【考案の詳細な説明】
【技術分野】
【０００１】
本考案は、封筒の封、鞄等の装飾等をするシールに関し、特にシールの模様等を使用者の特有の形態のものにすることができる技術に関するものである。
【背景技術】
【０００２】
従来、封筒の封等をするシールの表面に模様等を描いたものがある。この場合のシールとしては、シールの表面の模様等が予め印刷され、さらに、シールの表面に樹脂等を盛ったものもある。このように表面に模様等が描かれているシールは鞄、携帯電話等の表面の装飾用にも使用されている。
【考案の開示】
【考案が解決しようとする課題】
【０００３】
しかし、上述の従来例では、シール表面の模様等が予め印刷されたものであるので、シールの使用者が自分の好みに応じて模様等を変えることができないという問題があった。
そこで、本考案が解決しようとする課題は、上述の問題を解決し、使用者が自分の好みにあった模様等にすることができるシールおよびシールセットを提供することである。
【課題を解決するための手段】
【０００４】
上記課題を解決するため、請求項１記載の考案は、裏面にのりが塗られたシート状本体と、このシート状本体の表面と同じ形状でその裏面の一部分が前記シート状本体の表面の一部分に透明なのりでのり付けされた状態で前記シート状本体の表面を覆うように配置された透明なシートと、一方の面に離型剤を塗付した透明な剥離用シートとを備え、前記透明なシートの裏面のうち前記シート状本体の表面の一部分に透明なのりでのり付けされた部分以外の部分に前記透明な剥離用シートの前記離型剤を塗付した一方の面を透明なのりでのり付けしたことを特徴とするシールである。
これにより、裏面にのりが塗られたシート状本体の表面と同じ形状でその裏面の一部分が前記シート状本体の表面の一部分に透明なのりでのり付けされた状態で前記シート状本体の表面を覆うように透明なシートが配置され、前記透明なシートの裏面のうち前記シート状本体の表面の一部分に透明なのりでのり付けされた部分以外の部分に透明な剥離用シートの離型剤を塗付した一方の面を透明なのりでのり付けするので、前記透明なシートおよび透明な剥離用シートを介してシート状本体の表面の模様、文字等を視認することができる。さらに、シート状本体の表面に文字、模様等を書き写真等を添付し、透明な剥離用シートの離型剤を塗付した一方の面を透明なシートの裏面から剥がした後に、透明なシートの裏面を前記裏面に残っている透明なのりでシート状本体の表面に貼着すると、前記文字等および写真を透明なシートで覆って透明なのりでのり付けすることができる。
【０００５】
さらに、請求項２記載の考案は、請求項１に記載したシールであって、剥離用シートが無色透明であることである。
これにより、剥離用シートが外部からほとんど視認されない。
【０００６】
さらに、請求項３記載の考案は、請求項１または２に記載したシールであって、前記透明なシートの表面に透明で可撓性ある樹脂層が盛り付けられていることを特徴とするシールである。
これにより、前記透明なシートの表面に透明で可撓性ある樹脂層が盛り付けられているので、シールの表面を透明で可撓性ある樹脂層で樹脂盛り状態にすることができる。
【０００７】
さらに、請求項４記載の考案は、請求項１から３までのいずれかに記載したシールおよび前記シールの台紙を備えたシールセットであって、前記台紙の離型剤が塗布された表面に前記シールのシート状本体の裏面および剥離手段用シートの裏面がのり付けされていることを特徴とするシールセットである。
これにより、請求項１から３までのいずれかに記載のシールのシート状本体ののりが付着した裏面を前記台紙の離型剤が塗布された表面から剥がして、このシールの裏面（シート状本体の裏面）により封筒等の封をすることができるとともに、このシールの裏面を鞄、携帯電話等の表面にのり付けすることによって、シールにより鞄、携帯電話等の装飾をすることができる。さらに、剥離手段用シートののりが付着した裏面を台紙の離型剤が塗布された表面から剥がして、剥離手段用シートの前記のりが付着した裏面を請求項１から３までのいずれかに記載の剥離用シートの他方の面に貼着して引っ張ることにより、前記剥離用シートを透明なシートの裏面から容易に剥がすことができる。
【考案の効果】
【０００８】
請求項１記載の考案に係るシールによれば、シールに文字、模様を記載したり写真等を貼付したりして使用者の好みにあった特有のシールを形成することができる。
さらに、請求項２記載の考案によれば、請求項１記載の考案の効果とともに、シールの剥離用シートの存在を外部から判別できないようにすることができる。
さらに、請求項３記載の考案によれば、請求項１または２記載の考案の効果とともに、表面に盛った樹脂によりシールに厚みを形成することができるとともに、シール全体を可撓性あるものにすることができる。
さらに、請求項４記載の考案に係るシールセットによれば、請求項１から３までのいずれかに記載の考案の効果とともに、台紙からシールを剥がして使用することができ、かつ、シールから剥離用シートを剥がすことが容易になる。
【考案を実施するための最良の形態】
【０００９】
以下、本考案における実施の形態を図面に基づいて説明する。
図１は本考案の実施の形態に係るシールの平面を示し、図２は図１のシールを台紙に貼着した状態の正面を示し、図３は図２のシールおよび台紙の縦断面を拡大して示し、図４は本考案に係るシールセットの平面を示す。さらに、図５は本考案に係るシールセットの製造方法を示し、図６は本考案に係るシールの使用方法を示す。
【００１０】
図１および図２のシール１０は、図３に示すように、裏面１１ｂに第１のり１１ｃが塗られたシート状本体１１と、このシート状本体１１の表面１１ａと同じ形状でその裏面１２ｂの一部分がシート状本体１１の表面１１ａの一部分に透明な第２のり１２ｃによりのり付けされた状態でシート状本体１１の表面１１ａを覆うように配置された透明なシート１２と、一方の面１３ａに離型剤を塗付した無色透明な剥離用シート１３とを備えている。
そして、透明なシート１２の裏面１２ｂのうちシート状本体１１の表面１１ａの一部分に第２のり１２ｃによりのり付けされた部分１２ｄ以外の部分に剥離用シート１３の前記離型剤を塗付した一方の面１３ａを第２のり１２ｃによりのり付けしている。なお、剥離用シート１３の他方の面１３ｂはシート状本体１１の表面１１ａに重ねられている。さらに、透明なシート１２の表面１２ａに透明で可撓性ある樹脂層１４が盛り付けられている。なお、樹脂層１４の裏面１４ｂに段差があっても、樹脂層１４の表面１４ａには段差がない。
【００１１】
図４に示すように、シールセット２０は、各シール１０、１０ａ、１０ｂ、１０ｃ、４枚の剥離手段用シート２２および台紙２１を備えている。
台紙２１の離型剤が塗布された表面２１ａにシール１０のシート状本体１１の裏面１１ｂが第１のり１１ｃによりのり付けされている（図３参照）。シール１０ａ、１０ｂ、１０ｃの構造はシール１０と同様であるので、シール１０と同様に台紙２１の表面２１ａにのり付けされている。そして、台紙２１の離型剤が塗布された表面２１ａに各剥離手段用シート２２の裏面がのり（第１のり１１ｃと同じでもよい）付けされている。なお、各剥離手段用シート２２の表面２２ａには模様等が描かれていてもよい。
【００１２】
シールセット２０の製造方法は、以下のとおりである。
図５（ａ）に示すように、シート状本体１１の材料になる帯状のシート１１ｘの裏面が台紙２１の材料となる帯状の用紙２１ｘの離型剤を塗付した表面に第１のり１１ｃ（図３参照）でのり付けされている。
つぎに、図５（ｂ）に示すように、透明なシート１２の材料となる帯状シート１２ｘの裏面に剥離用シート１３の材料となる帯状シート１３ｘが第２のり１２ｃ（図３参照）でのり付けされている。そして、図１ののり付けした部分１２ｄの材料となる帯状のり付け部分１２ｄｘに相当する部分の帯状剥離用シート１３ｙを剥がし、帯状剥離用シート１３ｙの両側の帯状剥離用シート１３ｘを残して、帯状シート１２ｘを帯状シート１１ｘの表面に重ねて、のり付けされた部分１２ｄｘを形成する。
つぎに、各シール１０〜１０ｃおよび各剥離手段用シート２２を型抜きし、切断線２０ａ、２０ｂにて必要な長さに切断して図４のシールセット２０を形成する。
つぎに、各シール１０〜１０ｃの透明なシート１２の表面１２ａにゲル状の透明な樹脂を添加すると、この樹脂は表面張力により図２のようになる。その後、この樹脂を乾燥させると、透明で可撓性ある樹脂層１４が形成される。
【００１３】
上記構成のシール１０およびシールセット２０は以下の作用をする。
裏面１１ｂに第１のり１１ｃが塗られたシート状本体１１の表面１１ａと同じ形状でその裏面１２ｂの一部分がシート状本体１１の表面１１ａの一部分に透明な第２のり１２ｃによりのり付けされた状態でシート状本体１１の表面１１ａを覆うように透明なシート１２が配置され、透明なシート１２の裏面１２ｂのうちシート状本体１１の表面１１ａの一部分に第２のり１２ｃによりのり付けされた部分１２ｄ以外の部分に無色透明な剥離用シート１３の離型剤を塗付した一方の面１３ａを第２のり１２ｃによりのり付けするので、透明なシート１２および無色透明な剥離用シート１３を介してシート状本体１１の表面１１ａの模様、文字等を視認することができる。また、離型剤を塗付した無色透明な剥離用シート１３の存在が外部からほとんど視認されない状態である。
【００１４】
そして、図６（ａ）、（ｂ）（（ａ）に相当する説明図である。）に示すように、シート状本体１１の表面１１ａに文字３１等を書き写真３２等を添付し、無色透明な剥離用シート１３の離型剤を塗付した一方の面１３ａを透明なシート１２の裏面１２ｂから剥がした後に、透明なシート１２の裏面１２ｂを裏面１２ｂに残っている第２のり１２ｃによりシート状本体１１の表面１１ａにのり付けすると、前記文字３１等および写真３２等を透明なシート１２で覆って透明な第２のり１２ｃでのり付けすることができる。
さらに、透明なシート１２の表面１２ａに透明で可撓性ある樹脂層１４が盛り付けられているので、シール１０の表面（樹脂層１４の表面１４ａ）を透明で可撓性ある樹脂層１４で樹脂盛り状態にすることができる。
さらに、シール１０のシート状本体１１の第１のり１１ｃが付着した裏面１１ｂ（シール１０の裏面に相当する。）を台紙２１の離型剤が塗布された表面２１ａから剥がして、シール１０の裏面により図示しない封筒等の封をすることができるとともに、シール１０の裏面を鞄、携帯電話等の表面に貼ることによって、シール１０により鞄、携帯電話等の装飾をすることができる。かつ、剥離手段用シート２２ののり（第１のり１１ｃと同じもの）が付着した裏面を台紙２１の離型剤が塗布された表面２１ａから剥がして、剥離手段用シート２２ののりが付着した裏面を剥離用シート１３の他方の面１３ｂに貼着して引っ張ることにより、剥離用シート１３を透明なシート１２の裏面１２ｂから容易に剥がすことができる。
【００１５】
なお、上記実施の形態において、第２のり１２ｃにて剥離用シート１３の離型剤を塗付した一方の面１３ａを透明なシート１２の裏面１２ｂにのり付けしているが、これに限定されず、第２のり１２ｃとは異なる透明なのりにて剥離用シート１３の離型剤を塗付した一方の面１３ａを透明なシート１２の裏面１２ｂにのり付けしてもよい。また、シール１０〜１０ｃの形状は、ハート形であるが、これに限定されず、楕円形、円形、菱形、星形等の種々の形状でもよい。また、シールセット２０のシール１０〜１０ｃおよび剥離手段用シート２２の数および配置は図示されたものに限定されず、種々の態様をとることができる。また、剥離用シート１３は無色透明であるが、これに限定されず、有色透明や模様付き透明であってもよい。
【図面の簡単な説明】
【００１６】
【図１】本考案の実施の形態に係るシールの正面図である。
【図２】図１のシールを台紙に貼着した状態の正面図である。
【図３】図２のシールおよび台紙の縦断面を拡大して示す断面図である。
【図４】本考案に係るシールセットの平面図である。
【図５】本考案に係るシールセットの製造方法を示す説明図である。
【図６】本考案に係るシールの使用方法を示す説明図である。
【符号の説明】
【００１７】
１０  シール
１１  シート状本体
１１ａ  表面
１１ｂ  裏面
１１ｃ  第１のり
１２  透明なシート
１２ａ  表面
１２ｂ  裏面
１２ｃ  第２のり
１２ｄ  のり付けされた部分
１３  剥離用シート
１３ａ  表面
１３ｂ  裏面
１４  樹脂層
２０  シールセット
２１  台紙
２１ａ  表面
２２  剥離手段用シート
【図１】
0003110277.tif 000003
【図２】
0003110277.tif 000004
【図３】
0003110277.tif 000005
【図４】
0003110277.tif 000006
【図５】
0003110277.tif 000007
【図６】
0003110277.tif 000008